(57)【要約】【課題】操作性良く画像アイテムを複数ページにわたって移動させることのできる「表示装置」を提供することである。【解決手段】操作部の第１操作に従って、表示画面に表示される画像から画像アイテムを選択画像アイテムとして特定する選択画像アイテム特定手段（Ｓ１１）と、前記操作部の第２操作に従って、前記選択画像アイテムを前記表示画面に固定させた状態で、前記表示画面をスクロールして表示画像を移動させるスクロール処理手段（Ｓ１７）と、  前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御手段（Ｓ２０）とを有する構成となる。【選択図】図３
2014232379.tif 000002
【特許請求の範囲】
【請求項１】
表示部と、操作部と、
前記操作部の操作に従って前記表示部の表示画面に対する画像の表示制御を行う処理ユニットとを有し、
該処理ユニットは、
前記操作部の第１操作に従って、前記表示画面に表示される画像から画像アイテムを選択画像アイテムとして特定する選択画像アイテム特定手段と、
前記操作部の第２操作に従って、前記選択画像アイテムを前記表示画面に固定させた状態で、前記表示画面をスクロールして表示画像を移動させるスクロール処理手段と、
前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御手段とを有する表示装置。
【請求項２】
前記選択画像アイテム特定手段は、前記第１操作に従って、前記表示画面に配列表示される複数の画像アイテムから１つの画像アイテムを前記選択画像アイテムとして特定し、
前記画像アイテム割り込み表示制御手段は、前記選択画像アイテムを、前記表示画面に表示されるスクロール後に配列表示される複数の画像アイテムの前記第３操作により指定される２つの画像アイテムの間に表示させる請求項１記載の表示装置。
【請求項３】
前記操作部は前記表示部の表示画面に一体化されたタッチパネルであり、
前記第１操作、前記第２操作及び前記第３操作のそれぞれは、操作体が前記タッチパネルに所定の態様でタッチする操作、または、前記タッチパネルにタッチしている操作体を当該タッチパネルから離す操作を含む請求項１または２記載の表示装置。
【請求項４】
前記第１操作は、前記表示画面に表示された画像アイテムに対応する前記タッチパネルの部位を第１操作体でタッチする第１タッチ操作であって、前記選択画像アイテム特定手段は、前記第１タッチ操作により前記第１操作体がタッチした前記タッチパネルの部位に対応する画像アイテムを前記選択画像アイテムとして特定し、
前記第２操作は、前記第１タッチ操作により前記タッチパネルにタッチした前記第１操作体の当該タッチパネルにタッチした状態を維持しつつなされる、前記タッチパネルにタッチした第２操作体のフリック操作であって、前記スクロール処理手段は、前記タッチパネルにタッチした状態を維持する第１操作体の前記第１タッチ操作によって特定された前記選択アイテムを前記表示画面に固定させた状態で、前記表示画面をスクロールして表示画像を移動させる請求項３記載の表示装置。
【請求項５】
前記第３操作は、前記タッチパネルにタッチした状態が維持された前記第１操作体を前記タッチパネルから離すタッチ解除操作であって、前記画像アイテム割り込み表示制御手段は、前記タッチ解除操作がなされたときに、前記選択画像アイテムの前記表示画面に固定された状態を解除して、該固定された状態が解除された前記選択画像アイテムの前記表示画面内の位置に基づいて指定される前記スクロール後の画像内の位置に前記選択画像アイテムを表示させる請求項４記載の表示装置。
【請求項６】
前記第３操作は、操作体を前記タッチパネルに所定態様にてタッチする第２タッチ操作であって、前記画像アイテム割り込み表示制御手段は、前記第２タッチ操作がなされたときに、前記選択画像アイテムの前記表示画面に固定された状態を解除して、前記第２タッチ操作により前記操作体がタッチした前記タッチパネル内の位置にて指定される前記スクロール後の画像内の位置に前記選択画像アイテムを表示させる請求項４記載の表示装置。
【請求項７】
前記選択画像アイテム特定手段は、前記スクロール処理が終了した後に前記第３操作がなされることなく前記第１操作がなされたときに、該第１操作に従って前記表示装置に表示されるスクロール後の画像から画像アイテムを他の選択画像アイテムとして特定し、
前記スクロール処理手段は、前記第２操作に従って、前記選択画像アイテム及び前記他の選択画像アイテムを前記表示画面に固定させた状態で、前記表示画面を更にスクロールして表示画像を更に移動させ、
前記画像アイテム割り込み表示制御手段は、前記スクロール処理が終了した後に前記第３操作がなされたときに、前記選択画像アイテム及び前記他の選択画像アイテムの前記表示画面に固定された状態を解除して、当該選択画像アイテム及び当該他の選択画像アイテムを、前記表示画面に表示される前記再スクロール後の画像内の前記第３操作により指定される位置に表示させる請求項１乃至３のいずれかに記載の表示装置。
【請求項８】
操作部での操作に従って表示部の表示画面に表示される画像に含まれる画像アイテムを該表示画面に表示される画像に対して相対的に移動させる画像アイテム移動装置であって、
前記操作部の第１操作に従って、前記表示画面に表示される画像から画像アイテムを選択画像アイテムとして特定する選択画像アイテム特定手段と、
前記操作部の第２操作に従って、前記選択画像アイテムを前記表示画面に固定させた状態で、前記表示画面をスクロールして表示画像を移動させるスクロール処理手段と、
前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御手段とを有する画像アイテム移動装置。
【請求項９】
前記選択画像アイテム特定手段は、前記第１操作に従って、前記表示画面に配列表示される複数の画像アイテムから１つの画像アイテムを前記選択画像アイテムとして特定し、
前記画像アイテム割り込み表示制御手段は、前記選択画像アイテムを、前記表示画面に表示されるスクロール後に配列表示される複数の画像アイテムの前記第３操作により指定される２つの画像アイテムの間に表示させる請求項８記載の画像アイテム移動装置。
【請求項１０】
前記操作部は前記表示部の表示画面に一体化されたタッチパネルであり、
前記第１操作、前記第２操作及び前記第３操作のそれぞれは、操作体が前記タッチパネルに所定の態様でタッチする操作、または、前記タッチパネルにタッチしている操作体を当該タッチパネルから離す操作を含む請求項８または９記載の画像アイテム移動装置。
【請求項１１】
操作部での操作に従って表示部の表示画面に表示される画像に含まれる画像アイテムを該表示画面に表示される画像に対して相対的に移動させる画像アイテム移動方法であって、
前記操作部の第１操作に従って、前記表示画面に表示される画像から画像アイテムを選択画像アイテムとして特定する選択画像アイテム特定ステップと、
前記操作部の第２操作に従って、前記選択画像アイテムを前記表示画面に固定させた状態で、前記表示画面をスクロールして表示画像を移動させるスクロール処理ステップと、
前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御ステップとを有する画像アイテム移動方法。
【請求項１２】
前記選択画像アイテム特定手段は、前記第１操作に従って、前記表示画面に配列表示される複数の画像アイテムから１つの画像アイテムを前記選択画像アイテムとして特定し、
前記画像アイテム割り込み表示制御手段は、前記選択画像アイテムを、前記表示画面に表示されるスクロール後に配列表示される複数の画像アイテムの前記第３操作により指定される２つの画像アイテムの間に表示させる請求項１１記載の画像アイテム移動方法。
【請求項１３】
前記操作部は前記表示部の表示画面に一体化されたタッチパネルであり、
前記第１操作、前記第２操作及び前記第３操作のそれぞれは、操作体が前記タッチパネルに所定の態様でタッチする操作、または、前記タッチパネルにタッチしている操作体を当該タッチパネルから離す操作を含む請求項１１または１２記載の画像アイテム移動方法。
【請求項１４】
表示部と、操作部と、
前記操作部の操作に従って前記表示部の表示画面に対する画像の表示制御を行う処理ユニットとを有する表示装置における前記処理ユニットでの処理をコンピュータに行わせるためのプログラムであって、
前記操作部の第１操作に従って、前記表示画面に表示される画像から画像アイテムを選択画像アイテムとして特定する選択画像アイテム特定ステップと、
前記操作部の第２操作に従って、前記選択画像アイテムを前記表示画面に固定させた状態で、前記表示画面をスクロールして表示画像を移動させるスクロール処理ステップと、
前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御ステップとを、前記コンピュータに行わせるプログラム。
【発明の詳細な説明】
【技術分野】
【０００１】
本発明は、操作部の操作に応じて表示画面に表示された画像に含まれる画像アイテムを移動させるなど、前記操作部の操作に従って前記表示画面に対する画像の表示制御を行う表示装置、その表示装置で用いられる画像アイテムの移動装置及び画像アイテム移動方法、更に、その表示装置での処理をコンピュータに行わせるためのプログラムに関する。
【背景技術】
【０００２】
従来、特許文献１に開示される携帯端末装置が知られている。この携帯端末装置は、第１ディスプレイ及び第２ディスプレイの２つの表示ユニットを有し、それら２つの表示ユニットに対する画像の表示制御が統合的に行われる。具体的には、第１ディスプレイに表示されているアイコン（画像アイテム）をドラッグ操作によって移動させる際に、その第１ディスプレイの画面が、当該第１ディスプレイ用と第２ディスプレイ用の２つのウィンドウに分割される。そして、前記アイコンを第１ディスプレイに対応したウィンドウから第２ディスプレイに対応したウィンドウにドラッグ操作によって移動させ、そのドラッグ操作を終えると、第１ディスプレイの画面が元の状態に戻り、第１ディスプレイから前記ドラッグ操作に対象となったアイコンが消えて、そのアイコンが第２ディスプレイに表示される。このような携帯端末装置における表示装置によれば、２つの表示ユニット（第１ディスプレイ及び第２ディスプレイ）間で、ドラッグ操作によってアイコン（画像アイテム）を自由に移動させることができる。
【先行技術文献】
【特許文献】
【０００３】
【特許文献１】特開２０１１−２５３５６７号公報
【発明の概要】
【発明が解決しようとする課題】
【０００４】
ところで、上述したように表示画面上でアイコン等の画像アイテムを所望の位置に移動させる場合、一般的にドラッグ操作が用いられる。しかし、１つの表示画面においてドラッグ操作によって画像アイテムを複数ページにわたって移動させる場合、そのドラッグ操作だけで画像アイテムを選択しつつ、ページ送り（スクロール）もしなければならないので、その操作性が必ずしも良くない。
【０００５】
本発明は、そのような事情に鑑みてなされたもので、操作性良く画像アイテムを複数ページにわたって移動させることのできる表示装置を提供するものである。
【０００６】
また、そのような表示装置に用いられる画像アイテム移動装置及び画像アイテム移動方法を提供するものである。
【０００７】
更に、そのような表示装置での処理をコンピュータに行わせるためのプログラムを提供するものである。
【課題を解決するための手段】
【０００８】
本発明に係る表示装置は、表示部と、操作部と、前記操作部の操作に従って前記表示部の表示画面に対する画像の表示制御を行う処理ユニットとを有し、該処理ユニットは、前記操作部の第１操作に従って、前記表示画面に表示される画像から画像アイテムを選択画像アイテムとして特定する選択画像アイテム特定手段と、前記操作部の第２操作に従って、前記選択画像アイテムを前記表示画面に固定させた状態で、前記表示画面をスクロールして表示画像を移動させるスクロール処理手段と、前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御手段とを有する構成となる。
【０００９】
このような構成により、操作部の第１操作によって、表示部の表示画面に表示された画像から選択画像アイテムが特定され、操作部の第２操作によって、前記選択画像アイテムが前記表示画面に固定された状態で、当該表示画面がスクロールされて表示画像が移動される。その後、操作部の第３操作がなされると、表示画面において前記選択画像アイテムがスクロール後の画像内の前記第３操作にて指定される位置に表示される。その結果、表示部の表示画面に表示される選択画像アイテムは、スクロール前の画像内からスクロール後の画像内に実質的に移動したことになる。
【００１０】
本発明に係る表示装置において、前記選択画像アイテム特定手段は、前記第１操作に従って、前記表示画面に配列表示される複数の画像アイテムから１つの画像アイテムを前記選択画像アイテムとして特定し、前記画像アイテム割り込み表示制御手段は、前記選択画像アイテムを、前記表示画面に表示されるスクロール後に配列表示される複数の画像アイテムの前記第３操作により指定される２つの画像アイテムの間に表示させる構成とすることができる。
【００１１】
このような構成により、操作部の第１操作によって、表示部の表示画面に配列表示された複数の画像アイテムから選択画像アイテムが特定され、操作部の第２操作によって、前記選択画像アイテムが前記表示画面に固定された状態で、当該表示画面がスクロールされて他の複数の画像アイテムが移動される。その後、操作部の第３操作がなされると、表示画面において前記選択画像アイテムがスクロール後に配列表示される複数の画像アイテムの前記第３操作により指定される２つの画像アイテムの間に表示される。その結果、表示部の表示画面に表示される複数の画像アイテム内にある選択画像アイテムは、スクロール前の複数の画像アイテム内からスクロール後の複数の画像アイテム内に実質的に移動したことになる。
【００１２】
本発明に係る表示装置において、前記操作部は前記表示部の表示画面に一体化されたタッチパネルであり、前記第１操作、前記第２操作及び前記第３操作のそれぞれは、操作体が前記タッチパネルに所定の態様でタッチする操作、または、前記タッチパネルにタッチしている操作体を当該タッチパネルから離す操作を含む構成とすることができる。
【００１３】
このような構成により、操作体が前記タッチパネルに所定の態様でタッチする操作、または、前記タッチパネルにタッチしている操作体を当該タッチパネルから離す操作を含む第１操作、第２操作及び第３操作によって、表示部の表示画面に表示される選択画像アイテムを、スクロール前の画像内からスクロール後の画像内に実質的に移動させることができる。
【００１４】
前記操作体は、タッチパネルを操作し得るものであれば特に限定されず、操作者自身の指であっても、専用のタッチペン、更に、操作に適した形状の個体物であってもよい。
【００１５】
前記操作部として前記タッチパネルが用いられる場合、本発明に係る表示装置において、前記第１操作は、前記表示画面に表示された画像アイテムに対応する前記タッチパネルの部位を第１操作体でタッチする第１タッチ操作であって、前記選択画像アイテム特定手段は、前記第１タッチ操作により前記第１操作体がタッチした前記タッチパネルの部位に対応する画像アイテムを前記選択画像アイテムとして特定し、前記第２操作は、前記第１タッチ操作により前記タッチパネルにタッチした前記第１操作体の当該タッチパネルにタッチした状態を維持しつつなされる、前記タッチパネルにタッチした第２操作体のフリック操作であって、前記スクロール処理手段は、前記タッチパネルにタッチした状態を維持する第１操作体の前記第１タッチ操作によって特定された前記選択アイテムを前記表示画面に固定させた状態で、前記表示画面をスクロールして表示画像を移動させる構成とすることができる。
【００１６】
このような構成により、タッチパネルに対する第１操作体の第１タッチ操作によって、表示部の表示画面に表示された画像から選択画像アイテムが特定され、前記第１タッチ操作により前記タッチパネルにタッチした前記第１操作体の当該タッチパネルにタッチした状態が維持されつつなされる、前記タッチパネルにタッチした第２操作体のフリック操作によって、前記第１操作体の前記体１タッチ操作によって特定された前記選択画像アイテムが前記表示画面に固定された状態で、当該表示画面がスクロールされて表示画像が移動される。
【００１７】
また、前記操作部として前記タッチパネルが用いられる場合、本発明に係る表示装置において、前記第３操作は、前記タッチパネルにタッチした状態が維持された前記第１操作体を前記タッチパネルから離すタッチ解除操作であって、前記画像アイテム割り込み表示制御手段は、前記タッチ解除操作がなされたときに、前記選択画像アイテムの前記表示画面に固定された状態を解除して、該固定された状態が解除された前記選択画像アイテムの前記表示画面内の位置に基づいて指定される前記スクロール後の画像内の位置に前記選択画像アイテムを表示させる構成とすることができる。
【００１８】
このような構成により、前記スクロール処理が終了した後、前記タッチパネルにタッチした状態が維持された前記第１操作体を前記タッチパネルから離すタッチ解除操作がなされると、そのタッチ解除操作がなされた際の前記選択画像アイテムの前記表示画面内の位置に基づいて指定される前記スクロール後の画像内の位置に前記選択画像アイテムが表示される。その結果、表示部の表示画面に表示される選択画像アイテムは、スクロール前の画像内からスクロール後の画像内に実質的に移動したことになる。この場合、タッチパネルにタッチしていた第１操作体をタッチパネルから離すタッチ解除操作が第３操作となるので、スクロール後の画像内に選択画像アイテムを表示させるための第３操作がより容易なものとなる。
【００１９】
また、前記操作部として前記タッチパネルが用いられる場合、本発明に係る表示装置において、前記第３操作は、操作体を前記タッチパネルに所定態様にてタッチする第２タッチ操作であって、前記画像アイテム割り込み表示制御手段は、前記第２タッチ操作がなされたときに、前記選択画像アイテムの前記表示画面に固定された状態を解除して、前記第２タッチ操作により前記操作体がタッチした前記タッチパネル内の位置にて指定される前記スクロール後の画像内の位置に前記選択画像アイテムを表示させる構成とすることができる。
【００２０】
このような構成により、前記スクロール処理が終了した後、前記タッチパネルに所定態様で操作体をタッチする第２タッチ操作がなされると、前記第２タッチ操作により前記操作体がタッチした前記タッチパネル内の位置にて指定される前記スクロール後の画像内の位置に前記選択画像アイテムが表示される。その結果、表示部の表示画面に表示される選択画像アイテムは、スクロール前の画像内からスクロール後の画像内に実質的に移動したことになる。
【００２１】
また、本発明に係る表示装置において、前記選択画像アイテム特定手段は、前記スクロール処理が終了した後に前記第３操作がなされることなく前記第１操作がなされたときに、該第１操作に従って前記表示装置に表示されるスクロール後の画像から画像アイテムを他の選択画像アイテムとして特定し、前記スクロール処理手段は、前記第２操作に従って、前記選択画像アイテム及び前記他の選択画像アイテムを前記表示画面に固定させた状態で、前記表示画面を更にスクロールして表示画像を更に移動させ、前記画像アイテム割り込み表示制御手段は、前記スクロール処理が終了した後に前記第３操作がなされたときに、前記選択画像アイテム及び前記他の選択画像アイテムの前記表示画面に固定された状態を解除して、当該選択画像アイテム及び当該他の選択画像アイテムを、前記表示画面に表示される前記再スクロール後の画像内の前記第３操作により指定される位置に表示させる構成とすることができる。
【００２２】
このような構成により、スクロール処理が終了した後に第３操作でなく、第１操作を行うことにより、更に、他の選択画像アイテムを特定することができ、第２操作による再度のスクロール処理後に、第３操作がなされると、第１操作によって順次特定された複数の選択画像アイテムが、表示画面に表示される前記再スクロール後の画像内の前記第３操作により指定される位置に表示される。その結果、表示部の表示画面に表示される複数の選択画像アイテムは、各スクロール前の画像内から最後のスクロール後の画像内に実質的に移動したことになる。
【００２３】
本発明に係る画像アイテム移動装置は、操作部での操作に従って表示部の表示画面に表示される画像に含まれる画像アイテムを該表示画面に表示される画像に対して相対的に移動させる画像アイテム移動装置であって、前記操作部の第１操作に従って、前記表示画面に表示される画像から画像アイテムを選択画像アイテムとして特定する選択画像アイテム特定手段と、前記操作部の第２操作に従って、前記選択画像アイテムを前記表示画面に固定させた状態で、前記表示画面をスクロールして表示画像を移動させるスクロール処理手段と、前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御手段とを有する。
【００２４】
このような構成により、操作部の第１操作によって、表示部の表示画面に表示された画像から選択画像アイテムが特定され、操作部の第２操作によって、前記選択画像アイテムが前記表示画面に固定された状態で、当該表示画面がスクロールされて表示画像が移動される。その後、操作部の第３操作がなされると、表示画面において前記選択画像アイテムがスクロール後の画像内の前記第３操作にて指定される位置に表示される。その結果、表示部の表示画面に表示される選択画像アイテムは、スクロール前の画像内からスクロール後の画像内に実質的に移動したことになる。
【００２５】
また、本発明に係る画像アイテム移動方法は、操作部での操作に従って表示部の表示画面に表示される画像に含まれる画像アイテムを該表示画面に表示される画像に対して相対的に移動させる画像アイテム移動方法であって、前記操作部の第１操作に従って、前記表示画面に表示される画像から画像アイテムを選択画像アイテムとして特定する選択画像アイテム特定ステップと、前記操作部の第２操作に従って、前記選択画像アイテムを前記表示画面に固定させた状態で、前記表示画面をスクロールして表示画像を移動させるスクロール処理ステップと、前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御ステップとを有する構成となる。
【００２６】
更に、本発明に係るプログラムは、表示部と、操作部と、前記操作部の操作に従って前記表示部の表示画面に対する画像の表示制御を行う処理ユニットとを有する表示装置における前記処理ユニットでの処理をコンピュータに行わせるためのプログラムであって、前記操作部の第１操作に従って、前記表示画面に表示される画像から画像アイテムを選択画像アイテムとして特定する選択画像アイテム特定ステップと、前記操作部の第２操作に従って、前記選択画像アイテムを前記表示画面に固定させた状態で、前記表示画面をスクロールして表示画像を移動させるスクロール処理ステップと、前記スクロール処理が終了した後に前記操作部の第３操作がなされたときに、前記選択画像アイテムの前記表示画面に固定された状態を解除して、当該選択画像アイテムを、前記表示画面に表示される前記スクロール後の画像内の前記第３操作により指定される位置に表示させる画像アイテム割り込み表示制御ステップとを、前記コンピュータに行わせるプログラムとして構成される。
【発明の効果】
【００２７】
本発明に係る表示装置、画像アイテム移動装置、画像アイテム移動方法及びプログラムによれば、第１操作、第２操作及び第３操作によって、表示部の表示画面に表示される選択画像アイテムを、スクロール前の画像内から複数ページにわたったスクロール後の画像内に移動させることができるので、操作性良く画像アイテムを複数ページにわたって移動させることができる。
【図面の簡単な説明】
【００２８】
【図１】本発明に係る表示装置（画像アイテム移動装置、プログラム）を含む携帯通信端末の基本的な構成を示すブロック図である。
【図２】複数のアイコン（画像アイテム）が表示された携帯通信端末の表示画面の一例を示す図である。
【図３】図１に示す携帯通信端末の処理ユニットで実行される表示画面に表示される画像アイテムを移動させるための処理の手順の第１の例を示すフローチャートである。
【図４Ａ】リスト画像における選択画像アイテムを特定するための操作（第１操作）を示す図である。
【図４Ｂ】リスト画像において選択画像アイテムを固定状態にしてスクロールさせるための操作（第２操作）を示す図である。
【図４Ｃ】スクロール後のリスト画像に選択画像アイテムを割り込み表示させるための操作（第３操作）を示す図である。
【図４Ｄ】スクロール後のリスト画像に選択画像アイテムが割り込み表示された状態を示す図である。
【図５】スクロール後のリスト画像に選択画像アイテムを割り込み表示させるための操作（第３操作）の他の例を示す図である。
【図６Ａ】図１に示す携帯通信端末の処理ユニットで実行される表示画面に表示される画像アイテムを移動させるための処理の手順の第２の例を示すフローチャート（その１）である。
【図６Ｂ】図１に示す携帯通信端末の処理ユニットで実行される表示画面に表示される画像アイテムを移動させるための処理の手順の第２の例を示すフローチャート（その２）である。
【図７Ａ】リスト画像における選択画像アイテムを特定するための操作（第１操作）を示す図である。
【図７Ｂ】リスト画像において選択画像アイテムを固定状態にしてスクロールさせるための操作（第２操作）を示す図である。
【図７Ｃ】スクロール操作後のリスト画像において再度選択画像アイテムを特定するための操作（第１操作）を示す図である。
【図７Ｄ】リスト画像において再度特定した選択画像アイテムを固定状態にして再度スクロールするための操作（第２操作）を示す図である。
【図７Ｅ】最終スクロール後のリスト画像に複数の選択画像アイテムを割り込み表示させるための操作（第３操作）を示す図である。
【図７Ｆ】スクロール後のリスト画像に複数の選択画像アイテムが割り込み表示された状態を示す図である。
【図８Ａ】アイコン配列画像における選択アイコン（選択画像アイテム）を特定するための操作（第１操作）を示す図である。
【図８Ｂ】アイコン配列画像において選択アイコンを固定状態にしてスクロールさせるための操作（第２操作）を示す図である。
【図８Ｃ】スクロール後のアイコン配列画像に選択アイコンを割り込み表示させるための操作（第３操作）を示す図である。
【図８Ｄ】スクロール後のアイコン配列画像に選択アイコンが割り込み表示された状態を示す図である。
【発明を実施するための形態】
【００２９】
本発明の実施の一形態について図面を用いて説明する。
【００３０】
本発明に係る表示装置を含む携帯通信端末装置は、図１に示すように構成される。
【００３１】
図１において、携帯通信端末装置（例えば、スマートフォン）１００は、コンピュータのＣＰＵを含む処理ユニット１１、液晶パネルを有する表示部１３、液晶表示パネルと一体化されたタッチパネルにて構成される（公知の構成）操作部１３及び記憶部１４を有するとともに、通信装置２１及びカメラユニット２２を有している。処理ユニット１１は、操作部１３の操作に従って記憶部１４から読み出したプログラム（アプリケーション等）を内部メモリに格納し、そのプログラムに従って各種の処理を実行する。
【００３２】
通信装置２１は、処理ユニット１１の制御のもと、移動体通信網を介して他の通信端末と音声通信及びデータ通信を行う。また、処理ユニット１１は、カメラ撮影に係るアプリケーションに従ってカメラユニット２２を制御する。カメラユニット２２は、処理ユニット１１の制御のもと、操作部１３での操作に従って撮影を行う。撮影により得られた画像データは、操作部１３での操作に従って処理ユニット１１が処理し、撮影画像を表示部１２に表示させる。
【００３３】
処理ユニット１１は、操作部１３での操作に従って各種処理により得られた情報や記憶部１４に格納された情報を表示部１２に表示させることができる。処理ユニット１１の制御のもと、例えば、図２に示すように、表示部１２の表示画面に、アプリケーションを表すアイコンＩ１〜Ｉ６が配列表示される。処理ユニット１１のプログラムにて実現される機能、表示部１２及び操作部１３によって表示装置が構成される。
【００３４】
更に、処理ユニット１１は、図３に示す手順に従って、表示部１２の表示画面（以下、単に、表示画面１２という）に表示された画像の画像アイテムを移動させるための処理を実行する。なお、音声ファイルのリスト画像において音声ファイルを表す画像アイテムを移動させる動作を例（図４Ａ〜図４Ｄ参照）に、その画像アイテムを移動させるための処理について説明する。
【００３５】
例えば、図４Ａに示すように、表示画面１２に、音声ファイルを表す画像アイテム（AAA.mp3、BBB.mp3、CCC.mp3、DDD.mp3、EEE.mp3・・・）が縦方向に配列されたリスト画像が表示されている。この状態で、例えば、操作者が、自分の手ＨＮＤの親指（第１操作体）で操作部１３を構成するタッチパネル（以下、単にタッチパネル１３という）の画像アイテム「CCC.mp3」に対応する部位をタッチする操作（第１操作、第１タッチ操作）を行うと、処理ユニット１１は、図３に示す手順に従った処理を開始する。
【００３６】
処理ユニット１１は、親指がタッチしたタッチパネル１３の部位に対応する画像アイテム「CCC.mp3」を選択画像アイテムとして特定する（Ｓ１１：選択画像アイテム特定手段）。これにより、処理ユニット１１は、リスト画像における画像アイテム「CCC.mp3」を選択画像アイテムとして認識するとともに、その表示画面１２での表示位置を取得する。処理ユニット１１は、タイマＴをスタートさせ（Ｓ１２）、タッチパネル１３をタッチした親指のそのタッチした状態が維持されているか否か（Ｓ１４）、図４Ｂに示すように、親指のタッチした状態が維持されつつ、人差し指（第２操作体）でタッチパネル１３をタッチしてフリック操作（第２操作）がなされるか否か（Ｓ１４）、更に、フリック操作がなされない状態（Ｓ１４でＮＯ）で、前記タイマＴが所定時間Ｔｏに達したか否か（Ｓ１５）を繰り返し判定する。
【００３７】
前記タイマＴが所定時間Ｔｏに達する前に、親指がタッチパネル１３をタッチした状態が維持されつつ人差し指によるフリック操作がなされると（Ｓ１５でＮＯ，Ｓ１３でＹＥＳ、Ｓ１４でＹＥＳ）、処理ユニット１１は、タイマＴをリセット（Ｔ＝０）して（Ｓ１６）、図４Ｂに示すように、前記選択画像アイテム「CCC.mp3」を表示画面１２の前記親指がタッチした際の位置に固定させた状態で、表示画面１２をスクロールしてリスト画像を移動させる（Ｓ１７：スクロール処理手段）。処理ユニット１１は、表示画面１２のスクロールを実行している間、人差し指によるフリック操作（スクロール操作）が継続して行われているか否かを判定し（Ｓ１８）、人差し指によるフリック操作がなされている間（Ｓ１８でＹＥＳ）、処理ユニット１１は、前記選択画像アイテム「CCC.mp3」を表示画面１２に固定させた状態で、継続的に表示画面１２をスクロールしてリスト画像を移動させる（Ｓ１７）。
【００３８】
処理ユニット１１は、そのフリック動作（スクロール操作）が終了したと判定し（Ｓ１８でＮＯ）、更に、図４Ｃに示すように、タッチパネル１３をタッチしていた親指をタッチパネル１３から離すタッチ解除操作（第３操作）がなされたことを確認する（Ｓ１９）と、選択画像アイテム「CCC.mp3」の割り込み表示処理（Ｓ２０：画像アイテム割り込み表示制御手段）を実行する。この割り込み表示処理では、前記タッチ解除操作がなされた際の選択画像アイテム「CCC.mp3」の表示画面１２内の位置（選択画像アイテムの特定時に取得した位置）に基づいて、図４Ｃに示すように、選択画像アイテム「CCC.mp3」がスクロール後のリスト画像における画像アイテム「MMM.mp3」の上にあることが判定される。そして、その状況に基づいて、図４Ｄに示すように、前記選択画像アイテム「CCC.mp3」がスクロール後のリスト画像における画像アイテム「MMM.mp3」とそれに続いて配置される画像アイテム「NNN.mp3」との間に割り込み表示される。
【００３９】
なお、図３に示す処理において、親指がタッチパネル１３の選択画像アイテム「CCC.mp3」に対応した部位をタッチした状態（Ｓ１３でＹＥＳ）で、所定時間Ｔｏ以内に人差し指によるフリック操作がなされない場合（Ｓ１４でＮＯ、Ｓ１５でＹＥＳ）、処理ユニット１１は、タイマＴをリセットし（Ｓ２１）、画像アイテム「CCC.mp3」の選択画像アイテムとしての特定を解除する（Ｓ２２）。また、上記所定時間Ｔｏ以内に、親指をタッチパネル１３から離すタッチ解除処理がなされると、同様に、処理ユニット１１は、タイマＴをリセットし（Ｓ２１）、画像アイテム「CCC.mp3」の選択画像アイテムとしての特定を解除する（Ｓ２２）。
【００４０】
上述したような処理（図３参照）を行う表示装置（携帯通信端末１００）では、タッチパネル１３に対する操作者自身の親指のタッチ操作（第１タッチ操作）によって（図４Ａ参照）、表示画面１２に表示されたリスト画像から選択画像アイテム「CCC.mp3」が特定され、前記親指のタッチパネル１３にタッチした状態が維持されつつなされるタッチパネル１３にタッチした人差し指のフリック操作によって、前記親指のタッチ操作によって特定された選択画像アイテム「CCC.mp3」が表示画面１２に固定された状態で、表示画面１２がスクロールされて表示リスト画像が移動される（図４Ｂ参照）。そして、そのスクロールが終了した後、タッチパネル１３にタッチした状態が維持された親指をタッチパネル１３から離すタッチ解除操作がなされると（図４Ｃ参照）、そのタッチ解除操作がなされた際の選択画像アイテム「CCC.mp3」の表示画面１２内の位置に基づいて指定される前記スクロール後のリスト画像内の位置に選択画像アイテム「CCC.mp3」が表示される（図４Ｄ参照）。その結果、表示画面１２に表示される選択画像アイテム「CCC.mp3」
は、スクロール前のリスト画像（図４Ａ参照）内からスクロール後のリスト画像（図４Ｄ参照）内に実質的に移動したことになる。
【００４１】
このように、親指によるタッチ操作（第１操作）、親指をタッチさせた状態を維持しつつなされる人差し指のフリック操作（第２操作）、及びタッチした親指のタッチ解除操作によって、表示画面１２に表示される選択画像アイテム「CCC.mp3」を、スクロール前のリスト画像（図４Ａ参照）から複数ページにわたったスクロール後のリスト画像（図４Ｄ参照）に移動させることができるので、操作性良く画像アイテムを複数ページにわたって移動させることができる。
【００４２】
また、上記の場合、タッチパネル１３にタッチしていた親指をタッチパネル１３から離すタッチ解除操作（Ｓ１９：第３操作）によって、画像アイテム割り込み表示処理（Ｓ２０）が実行されるので、その画像アイテム割り込み表示処理の起動操作がより容易なものとなる。
【００４３】
なお、前記タッチ解除操作に代えて、他の操作（第３操作）によって画像アイテム割り込み処理（Ｓ２０）を実行させることも可能である。例えば、図５に示すように、タッチパネル１３を人差し指で複数回（例えば、２回）タッチする操作（ダブルタッチ操作）によって、前記画像アイテム割り込み処理（Ｓ２０）を実行させることができる。この場合、選択画像アイテム「CCC.mp3」が、スクロール後のリスト画像内の、人差し指で複数タッチ操作したタッチパネル１３の位置に基づいて指定される位置に表示される（図５及び図４Ｄ参照）。
【００４４】
処理ユニット１１は、図３に示す手順に従った処理に代えて、図６Ａ及び図６Ｂに示す手順に従って、表示画面１２に表示された画像の画像アイテムを移動させるための処理を実行してもよい。なお、この場合も、音声ファイルのリスト画像において音声ファイルを表す画像アイテムを移動させる動作を例（図７Ａ〜図７Ｆ参照）に、その画像アイテムを移動させるための処理について説明する。
【００４５】
図６Ａにおいて、処理ユニット１１は、前述した処理と同様の手順（Ｓ１１〜Ｓ１９）に従って処理を実行する。それにより、図７Ａに示すように、表示画面１２に表示されたリスト画像において、操作者自身の手ＨＮＤの親指がタッチした（タッチ操作：第１操作）タッチパネル１３の部位に対応する画像アイテム「CCC.mp3」が選択画像アイテムとして特定される（Ｓ１１）。そして、親指をタッチパネル１３にタッチした状態を維持しつつ、図７Ｂに示すように、人差し指をタッチパネル１３にタッチしてフリック操作（スクロール操作：第２操作）がなされると、選択画像アイテム「CCC.mp3」が表示画面１２に固定された状態で、表示画面１２がスクロールされてリスト画像が移動する（Ｓ１７）。
【００４６】
その後、処理ユニット１１は、タッチパネル１３をタッチしていた親指がタッチパネル１３から離れたことを確認すると（Ｓ１９）、図６Ｂに示す手順に移行し、タイマＴをスタートさせる（Ｓ２３）。そして、処理ユニット１１は、再度、親指によるタッチ操作（再度の第１操作）がなされたか否か（Ｓ２４）、親指によるタッチ操作がなされていなければ（Ｓ２４でＮＯ）、前述した画像アイテム割り込み表示処理を起動するための人差し指によるダブルタッチ操作（第３操作）がなされたか否か（Ｓ２５）、更に、ダブルタッチ操作がなされていなければ（Ｓ２６でＮＯ）、前記タイマＴが所定時間ＴＥＮＤに達したか否かを判定する（Ｓ２６）。前記タイマＴが所定時間ＴＥＮＤに達する前に、図７Ｃに示すように、親指によるタッチパネル１３の他の画像アイテムに対応した部位へのタッチ操作がなされると（Ｓ２４でＹＥＳ）、処理ユニット１１は、タイマＴをリセットした（Ｓ２７）後に、図６Ａに示す手順に戻って、図７Ｃに示すように、表示画面１２に表示されたスクロール後のリスト画像において、親指がタッチした（タッチ操作：第１操作）タッチパネル１３の部位に対応する画像アイテム「EEE.mp3」を新たな選択画像アイテムとして特定する（Ｓ１１）。
【００４７】
処理ユニット１１は、以前に選択画像アイテムとして特定したが画像アイテム「CCC.mp」（図７Ａ参照）を認識しており、この時点で２つ選択画像アイテム「CCC.mp3」、「EEE.mp3」を特定している。なお、図７Ｃの例では、以前に特定した選択画像アイテム「CCC.mp3」は、表示画面１２に表示されていないが、新たな選択画像アイテム「EEE.mp3」とともに、以前に特定した選択画像アイテム「CCC.mp3」の表示画面１２に表示させた状態（図７Ａ、図７Ｂ参照）を維持させるようにしてもよい。
【００４８】
その後、処理ユニット１１は、再度、前述したのと同様の手順（Ｓ１２〜Ｓ１９）に従って処理を実行する。それにより、親指をタッチパネル１３にタッチした状態を維持しつつ、図７Ｄに示すように、人差し指をタッチパネル１３にタッチしてフリック操作（スクロール操作：第２操作）がなされると、特定された、２つの選択画像アイテム「CCC.mp3」、「EEE.mp3」が表示画面１２に固定された状態で、表示画面１２が更にスクロールされてリスト画像が更に移動する（Ｓ１７）。図７Ｄにおいて、図７Ｃに示す場合と同様に、最初に特定された選択画像アイテム「CCC.mp3」は表示画面１２に表示されない。処理ユニット１１は、特定する際に取得した選択画像アイテム「CCC.mp3」の表示画面１２内での位置に基づいて、表示されない選択画像アイテム「CCC.mp3」を実質的に表示画面１２に固定した状態（選択画像アイテム「CCC.mp3」の表示画面１２内での位置を保持した状態）で、表示画面１２のスクロールを行う。なお、２つの選択画像アイテム「CCC.mp3」、「EEE.mp3」の双方を表示させた状態で、表示画面１２のスクロールを行うようにしてもよい。
【００４９】
その後、処理ユニット１１は、処理ユニット１１は、タッチパネル１３をタッチしていた親指がタッチパネル１３から離れたことを確認すると（Ｓ１９）、再度、図６Ｂに示す手順に移行し、タイマＴを起動して（Ｓ２３）、親指によるタッチ操作（第１操作）の確認（Ｓ２４）、人差し指によるダブルタッチ操作（第３操作）の確認（Ｓ２５）及びタイマＴが所定時間ＴＥＮＤに達したことの確認（Ｓ２６）を繰り返し実行する。その過程で、親指によるタッチ操作がなされる（Ｓ２４でＹＥＳ）毎に、前述したのと同様に、順次新たな選択画像アイテムが特定され、表示画面１２のスクロールがなされる（Ｓ１１〜Ｓ１９）。
【００５０】
一方、前記各確認（Ｓ２４〜Ｓ２６）の過程で、図７Ｅに示すように、人差し指によるダブルタッチの操作（第３操作）がなされると（Ｓ２５でＹＥＳ）、処理ユニット１１は、タイマＴをリセットし（Ｓ２８）、この時点までに特定した選択画像アイテム（この例の場合、２つの選択画像アイテム「CCC.mp3」、「EEE.mp3」）の割り込み表示処理（Ｓ２９：画像アイテム割り込み表示制御手段）を実行する。この場合、図７Ｆに示すように、複数（２つ）の選択画像アイテム「CCC.mp3」、「EEE.mp3」が、最終のスクロール後のリスト画像内の、人差し指でダブルタッチ操作したタッチパネル１３の位置に基づいて指定される位置（例えば、画像アイテム「MMM.mp3」の後）に割り込み表示される。
【００５１】
なお、選択画像アイテム「CCC.mp3」、「EEE.mp3」が特定された後に、所定時間ＴＥＮＤ以内に人差し指によるダブルタッチ操作がなされない場合（図６のＳ２６でＹＥＳ）、図６Ａの手順に戻って、タイマＴがリセットされ（Ｓ２１）、画像アイテム「CCC.mp」、「EEE.mp3」の選択画像アイテムとしての特定が解除される（Ｓ２２）。
【００５２】
図６Ａ及び図６Ｂに示す手順に従って画像アイテムの移動に係る処理を実行する表示装置（携帯通信端末１００）では、スクロール処理が終了した後に人差し指によるダブルタッチ操作（第３操作）でなく、親指によるタッチ操作（第１操作）を行うことにより、更に、他の選択画像アイテムを特定することができる。そして、その親指のタッチパネル１３へのタッチ状態を維持しつつ人差し指によりフリック操作（第２操作）による再度のスクロール処理後に、前記ダブルタッチ操作（第３操作）がなされると、親指のタッチ操作によって順次特定された複数の選択画像アイテム（例えば、「CCC.mp3」、「EEE.mp3」）が、表示画面１２に表示される最終スクロール後のリスト画像内の前記人差し指によるダブルタッチにより指定される位置に割り込み表示される。その結果、表示画面１２に表示される複数の選択画像アイテムは、各スクロール前のリスト画像内から最後のスクロール後のリスト画像内に実質的に移動したことになる。よって、操作性良く複数の画像アイテムを複数ページにわたって移動させることができる。
【００５３】
前述した各例では、音声ファイルのリスト画像において音声ファイルを表す画像アイテムを移動させる動作を例（図４Ａ〜図４Ｄ、図７Ａ〜図７Ｆ参照）に、その画像アイテムを移動させる場合について説明したが、移動の対象となる画像アイテムは、表示画面１２内で移動可能な画像の単位であれば特に限定されず、例えば、アイコン、各種文字群等であってもよい。例えば、図３に示す手順に従った処理により、例えば、図８Ａに示すように、表示画面１２に配列表示されたアイコンから特定される１つのアイコンを複数ページにわたって移動させることができる。
【００５４】
この場合、図８Ａに示すように、親指によるタッチパネル１３に対するタッチ操作によって、表示画面１２に配列表示された複数のアイコンから１つのアイコン「Ｃ」が選択画像アイテムとして特定され、図８Ｂに示すように、その親指のタッチパネル１３にタッチした状態を維持しつつ、人差し指のタッチパネル１３に対するフリック操作（スクロール操作、ページめくり操作）がなされると、選択画像アイテム（アイコン「Ｃ」）が表示画面１２に固定された状態で、表示画面１４がスクロールされて、図８Ｃに示すように、次のページの複数のアイコンが表示される。前記スクロールが終了した後、親指をタッチパネル１３から離すと（タッチ解除操作がなされると）、図８Ｄに示すように、親指をタッチパネル１３から離した際の前記選択画像アイテム（アイコン「Ｃ」）の表示画面１２内の位置に基づいて指定される前記スクロール後の複数のアイコンにおける２つのアイコン「Ｏ」と「Ｐ」の間に、当該選択画像アイテム（アイコン「Ｃ」）が表示される。その結果、表示画面１２に表示される選択画像アイテム（アイコン「Ｃ」）は、スクロール前の複数のアイコン内からスクロール後の次ページの複数のアイコン内に実質的に移動したことになる。
【００５５】
前述した各例では、表示装置は、携帯通信端末１００に適用されたが、これに限定されず、パソコンや、車載機器等に適用されるものであってもよい。また、操作部１３は、タッチパネルに限定されず、他の操作機器（例えば、マウス、キーボード等）であってもよい。更に、選択画像アイテムを特定するための操作（第１操作）、選択画像アイテムを表示画面１２に固定した状態で表示画面１４のスクロールを行うための操作（第２操作）、及び選択画像アイテムをスクロール後の画像内に表示させるための操作（第３操作）は、前述したタッチパネルに対する操作に限定されず、タッチパネルに対する他の態様のタッチ操作であっても、用いられる操作機器で定められる操作であってもよい。
【符号の説明】
【００５６】
１１  処理ユニット
１２  表示部（表示パネル）
１３  操作部（タッチパネル）
１４  記憶部
２１  通信装置
２２  カメラユニット
１００  携帯通信端末
【図１】
2014232379.tif 000003
【図２】
2014232379.tif 000004
【図３】
2014232379.tif 000005
【図４Ａ】
2014232379.tif 000006
【図４Ｂ】
2014232379.tif 000007
【図４Ｃ】
2014232379.tif 000008
【図４Ｄ】
2014232379.tif 000009
【図５】
2014232379.tif 000010
【図６Ａ】
2014232379.tif 000011
【図６Ｂ】
2014232379.tif 000012
【図７Ａ】
2014232379.tif 000013
【図７Ｂ】
2014232379.tif 000014
【図７Ｃ】
2014232379.tif 000015
【図７Ｄ】
2014232379.tif 000016
【図７Ｅ】
2014232379.tif 000017
【図７Ｆ】
2014232379.tif 000018
【図８Ａ】
2014232379.tif 000019
【図８Ｂ】
2014232379.tif 000020
【図８Ｃ】
2014232379.tif 000021
【図８Ｄ】
2014232379.tif 000022